(57)【要約】【課題】気密性に優れ、しかも、開閉方法に面白みがある密閉容器を提供する。【解決手段】上面に化粧料収容用凹部１８が形成されたケース本体１と、上記ケース本体１の上面を蓋する蓋体とを備え、上記ケース本体１の上面に、化粧料収容用凹部１８を囲う仮想円上の、１８０°対極にある２個所Ｐ、Ｐ′を起点とし、上記仮想円に沿ってそれぞれ同じ向きに所定角度だけ延びる２本一対の円弧状溝部２１と、上記円弧状溝部２１の終点Ｑ、Ｑ′からケース本体１上面の片縁部Ｒ、Ｒ′まで互いに並行に延びる２本一対の直線状溝部２２とが形成されているとともに、上記蓋体の下面に、上記円弧状溝部２１および直線状溝部２２内を順次移動して蓋体を適宜の位置に移動しうる２個一組のスライド片が下向きに突設されている。【選択図】図２
2010094177.tif 000002
【特許請求の範囲】
【請求項１】
上面に化粧料収容用凹部が形成された略板状のケース本体と、上記ケース本体の上面および化粧料収容用凹部の開口を一体的に蓋する蓋体とを備え、上記ケース本体の上面に、化粧料収容用凹部を囲う仮想円上の、１８０°対極にある２個所Ｐ、Ｐ′を起点とし、上記仮想円に沿ってそれぞれ同じ向きに所定角度だけ延びる２本一対の円弧状溝部と、上記円弧状溝部の終点Ｑ、Ｑ′からケース本体上面の片縁部Ｒ、Ｒ′まで互いに並行に延びる２本一対の直線状溝部とが形成されているとともに、上記蓋体の下面に、上記円弧状溝部および直線状溝部内を順次移動して蓋体を適宜の位置に移動しうる２個一組のスライド片が下向きに突設されており、上記スライド片の下部には係合用突起が設けられ、上記円弧状溝部および直線状溝部の各溝部内には、上記スライド片の係合用突起と係合してその移動をガイドする突条が延びており、しかも上記円弧状溝部内の突条は、その終点Ｑ、Ｑ′から起点Ｐ、Ｐ′に向かって徐々に下向きにテーパが形成され、起点Ｐ、Ｐ′に向かって移動するスライド片が下向きに押し込まれるよう設定されており、上記スライド片が円弧状溝部の起点Ｐ、Ｐ′に位置決めされた状態では、スライド片を介して蓋体下面が化粧料収容用凹部開口を押圧して化粧料収容用凹部内が密閉されるようになっており、蓋体を周方向に所定角度だけ回動し上記スライド片を円弧状溝部の起点Ｐ、Ｐ′から終点Ｑ、Ｑ′まで移動させた後、直線状溝部に沿ってケース本体上面の片縁部Ｒ、Ｒ′までスライドさせた状態では、蓋体がケース本体上面の片縁側に移動して化粧料収容用凹部の開口が露出されるようになっていることを特徴とする密閉容器。
【請求項２】
上記蓋体の下面に、弾性部材からなるパッキンが設けられており、上記スライド片が円弧状溝部の起点Ｐ、Ｐ′に位置決めされた状態では、スライド片を介して蓋体下面のパッキンが化粧料収容用凹部開口を押圧して化粧料収容用凹部内が密閉されるようになっている請求項１記載の密閉容器。
【発明の詳細な説明】
【技術分野】
【０００１】
本発明は、化粧料を収容するのに適した密閉性の高い密閉容器に関するものである。
【背景技術】
【０００２】
従来から、飲料等の各種内容物を収容する密閉容器では、その密閉性を確実なものとするため、図１５に示すような蓋構造の密閉容器が提案されている。この密閉容器は、ボトルタイプの容器体３１と、この容器体３１の首部３１ａにら合されるキャップ３２と、このキャップ３２内に装着されるパッキン３３とを備えている。そして、閉蓋時に、容器体３１の首部３１ａにキャップ３２をら合させることによって、キャップ３２を回動させながら徐々に下降させ、これにより、パッキン３３を容器体３１の首部３１ａ上面に均等に圧接させるとともに、キャップ３２による強い締め付け力で、パッキン３３を容器体３１の首部３１ａ上面に押え付けることができ、高い気密性を有している。
【０００３】
一方、揮発性成分を含有する化粧料や粉状の化粧料等を収容するコンパクト等は、容器本体に蓋体がヒンジ連結されているため、容器本体の上面に蓋体の下面を均等に圧接させて強い力で押さえ付けることができず、気密性に劣るという問題がある。そこで、気密性の向上を図るため、例えば、図１６に示すような気密容器が提案されている（特許文献１参照）。この気密容器は、中央部に収納部３５ａが形成された容器本体３５と、上記収納部３５ａに嵌入される中皿３６と、上記容器本体３５にヒンジ３８により連結される中蓋３７と、上記容器本体３５の外周部にら合される外蓋３９とを備えており、上記中蓋３７の底面にパッキン４０が固定されている。また、上記ヒンジ３８には、後述する外蓋３９のねじ込み時に中蓋３７の下降を許容するヒンジ位置可動機構４１が設けられている。４２は上記中皿３６に充填された化粧料、４３は上記中蓋３７の上面に載置されたパフである。
【０００４】
このような気密容器を閉蓋する場合には、上記外蓋３９を容器本体３５から取り外した状態で、上記中蓋３７を下方に回動させて上記収納部３５ａを閉蓋したのち、上記外蓋３７を容器本体３５の外周部にねじ込むことを行う。このねじ込みによる外蓋３９の下降に伴い、中蓋３７も下降し、中蓋３７の底面のパッキン４０が収納部３５ａの上面に強く圧接し、収納部３５ａの気密が保持されるようになっている。また、上記中蓋３７の下降は、上記ヒンジ位置可動機構４１により可能になっている。一方、開蓋する場合には、上記外蓋３９のねじを緩めて外蓋３９を容器本体３５から取り外したのち、中蓋３７を上方に回動させるようになっている。
【特許文献１】特開２００１−２５８６３６号公報
【発明の開示】
【発明が解決しようとする課題】
【０００５】
しかしながら、上記の気密容器では、上記中蓋３７が容器本体３５にヒンジ３８によって連結されているため、ヒンジ位置可動機構４１を設けていても、上記外蓋３９のねじ込み時に、中蓋３７がスムーズに下降せず、中蓋３７の底面のパッキン４０が収納部３５ａの上面に均等に当接しない。したがって、上記ねじ込み時に、パッキン４０で上記収納部３５ａの上面を均等に圧接することができず、気密性が損なわれるおそれがある。また、長期の使用によって、上記ヒンジ３８と、これに回動および上下動自在に係合するヒンジ位置可動機構４１との間にがた付き等が生じ、破損等するおそれがある。しかも、開動作時に、外蓋３９を緩めて容器本体３５から取り外したのち中蓋３７を上方に回動させる必要があり、動作が煩雑なだけでなく、面白みに欠ける。
【０００６】
本発明は、このような事情に鑑みなされたもので、略板状のコンパクトタイプの容器でありながら、気密性に優れ、しかも、開閉動作が簡単で面白みがある密閉容器の提供をその目的とする。
【課題を解決するための手段】
【０００７】
上記の目的を達成するため、本発明の密閉容器は、上面に化粧料収容用凹部が形成された略板状のケース本体と、上記ケース本体の上面および化粧料収容用凹部の開口を一体的に蓋する蓋体とを備え、上記ケース本体の上面に、化粧料収容用凹部を囲う仮想円上の、１８０°対極にある２個所Ｐ、Ｐ′を起点とし、上記仮想円に沿ってそれぞれ同じ向きに所定角度だけ延びる２本一対の円弧状溝部と、上記円弧状溝部の終点Ｑ、Ｑ′からケース本体上面の片縁部Ｒ、Ｒ′まで互いに並行に延びる２本一対の直線状溝部とが形成されているとともに、上記蓋体の下面に、上記円弧状溝部および直線状溝部内を順次移動して蓋体を適宜の位置に移動しうる２個一組のスライド片が下向きに突設されており、上記スライド片の下部には係合用突起が設けられ、上記円弧状溝部および直線状溝部の各溝部内には、上記スライド片の係合用突起と係合してその移動をガイドする突条が延びており、しかも上記円弧状溝部内の突条は、その終点Ｑ、Ｑ′から起点Ｐ、Ｐ′に向かって徐々に下向きにテーパが形成され、起点Ｐ、Ｐ′に向かって移動するスライド片が下向きに押し込まれるよう設定されており、上記スライド片が円弧状溝部の起点Ｐ、Ｐ′に位置決めされた状態では、スライド片を介して蓋体下面が化粧料収容用凹部開口を押圧して化粧料収容用凹部内が密閉されるようになっており、蓋体を周方向に所定角度だけ回動し上記スライド片を円弧状溝部の起点Ｐ、Ｐ′から終点Ｑ、Ｑ′まで移動させた後、直線状溝部に沿ってケース本体上面の片縁部Ｒ、Ｒ′までスライドさせた状態では、蓋体がケース本体上面の片縁側に移動して化粧料収容用凹部の開口が露出されるようになっているという構成をとる。
【発明の効果】
【０００８】
すなわち、本発明の密閉容器は、ケース本体の上面に形成された化粧料収容用凹部を囲う仮想円上の、１８０°対極にある２個所Ｐ、Ｐ′を起点とし、上記仮想円に沿ってそれぞれ同じ向きに所定角度だけ延びるように形成された２本一対の円弧状溝部と、上記円弧状溝部の終点Ｑ、Ｑ′からケース本体上面の片縁部Ｒ、Ｒ′まで互いに並行に延びるように形成された２本一対の直線状溝部とが形成されている。また、上記蓋体の下面に、上記円弧状溝部および直線状溝部内を順次移動して蓋体を適宜の位置に移動しうる２個一組のスライド片が下向きに突設されている。
【０００９】
そして、上記スライド片が円弧状溝部の起点Ｐ、Ｐ′に位置決めされた状態では、上記スライド片の下部の係合用突起と円弧状溝部内の突条とが係合して、上記スライド片が下向きに押し込まれているため、この押し込みにより、上記スライド片を介して蓋体下面が化粧料収容用凹部開口を押圧して化粧料収容用凹部内が密閉されるようになっている。この密閉状態から、上記蓋体を周方向に所定角度だけ回動させて上記スライド片を円弧状溝部の起点Ｐ、Ｐ′から終点Ｑ、Ｑ′まで移動させると、上記係合用突起と突条との係合が外れて、上記係合用突起が直線状溝部内の突条と係合しうる状態になる。この状態から、蓋体を直線状溝部に沿ってスライドさせると、上記係合用突起が直線状溝部内の突条にガイドされて移動し、蓋体がケース本体上面の片縁側に移動して化粧料収容用凹部の開口が露出されるようになっている。
【００１０】
このように、本発明の密閉容器では、蓋体を回動させることにより、蓋体下面を化粧料収容用凹部開口に均等に圧接させることができるため、蓋体をら合して開閉するタイプのボトルと同様に、化粧料収容用凹部の気密性に優れたものになる。そして、開閉動作が、１つの蓋体に対し、これを周方向に所定角度だけ回動させる動作と、スライドさせてケース本体上面の片縁側に移動させる動作の双方を一連の動きとして行うようになっており、簡単である。しかも、動作に意外性があり、開閉の方法に面白みがある。
【００１１】
また、本発明において、上記蓋体の下面に、弾性部材からなるパッキンが設けられたものは、上記スライド片が円弧状溝部の起点Ｐ、Ｐ′に位置決めされた状態では、スライド片を介して上記パッキンが化粧料収容用凹部開口を押圧して化粧料収容用凹部内が密閉されるため、化粧料収容用凹部内の密閉をより確実に行うことができる。
【発明を実施するための最良の形態】
【００１２】
つぎに、本発明の実施の形態を図面にもとづいて詳しく説明する。ただし、本発明は、これに限定されるわけではない。
【００１３】
図１は、本発明の密閉容器の一実施の形態を示している。図１において、１は略板状のケース本体で、２は上記ケース本体１の上面および化粧料収容用凹部１８の開口を蓋する蓋体である。
【００１４】
上記ケース本体１は、その平面図である図２に示すように、角皿状のケース部１１と、このケース部１１に収容固定される中枠部１２とで構成されている。上記ケース部１１には、その後側壁に、後述するスライド片２４を逃がすための左右一対の切欠き部１３が切欠き形成されており、その左側壁には、後述する係合片２５を逃がすための前後一対の切欠き部１４が形成されている。
【００１５】
上記中枠部１２は、図２のＡ−Ａ断面である図３と、図２のＢ−Ｂ断面である図４に示すように、上記ケース部１１の内周面の左右両側および前側に沿うようにして平面視略Ｕ字状に形成される下板１５と、この下板１５から立設される支受部１６と、この支受部１６に支受される上板１７とを備えている。また、この上板１７には、その前側に、化粧料（図示せず）を収容するための平面視円形の化粧料収容用凹部１８が形成されているとともに、後側に、化粧用具（図示せず）を収容するための化粧用具収容用凹部１９が形成されている。また、上記上板１７の外周部は、上記支受部１６より外側に突出しており、この突出部分が、上記蓋体２のスライド片２４の係合用突起２４ａもしくは係合片２５の係合凸部２５ａと係合し、上記蓋体２が上方に抜けて外れるのを防止する役割を果たしている。
【００１６】
また、上記中枠部１２には、その化粧料収容用凹部１８の周辺部分に２本一対の円弧状溝部２１が形成されている。より詳しく説明すると、上記中枠部１２には、化粧料収容用凹部１８の中心を中心とし、化粧料収容用凹部１８を囲うようにして仮想される仮想円Ｘ（図２参照）上の、１８０°対極にある２個所Ｐ、Ｐ′を起点とし、上記仮想円Ｘに沿ってそれぞれ同じ向きに所定角度（この実施の形態では、略９０°）だけ延びる略１／４円弧状の円弧状溝部２１が形成されている。図２において、Ｑ、Ｑ′は上記円弧状溝部２１の終点であり、上記中枠部１２の左右両側縁に位置している。
【００１７】
そして、上記円弧状溝部２１に対応する上記支受部１６の外周面の部分には、上記支受部１６の要部の拡大正面図である図５に示すように、上記終点Ｑ、Ｑ′と起点Ｐ、Ｐ′との間に、帯状に延びる突条２３が形成されており、この突条２３の下面が、上記終点Ｑ、Ｑ′から起点Ｐ、Ｐ′に向かって徐々に下向きに傾斜するテーパー２３ａに形成されている。
【００１８】
また、上記中枠部１２には、その左右両側縁に、上記円弧状溝部２１の終点Ｑ、Ｑ′から中枠部１２の後縁部Ｒ、Ｒ′（図２参照）まで互いに並行に延びる２本一対の直線状溝部２２が形成されている。
【００１９】
上記蓋体２は、その平面図である図６およびそのＣ−Ｃ断面である図７に示すように、四角形状平板に形成されており、その下面の左右方向の略中央部から、相対する状態で、上記両溝部２１，２２内を順次移動して蓋体２を適宜の位置に移動しうる２個一対のスライド片２４が下向きに突設されている。また、各スライド片２４には、その下部に、上記円弧状溝部２１の突条２３の下面に摺動自在に係合する係合用突起２４ａが突設されている。このため、各スライド片２４の係合用突起２４ａを円弧状溝部２１の突条２３の下面に係合させた状態で、各スライド片２４の係合用突起２４ａを上記終点Ｑ、Ｑ′から起点Ｐ、Ｐ′に向かって移動させると、蓋体２が回動しながら徐々に下降するようになっている。
【００２０】
また、上記蓋体２には、その下面の左側縁部に、上記直線状溝部２２内を移動して上記スライド片２４の動きをガイドする２個一対の係合片２５が下向きに突設されている。両係合片２５のうち、後側の係合片２５は、図１に示す状態から上記蓋体２を反時計回り方向に回動させたときに、ケース部１１の両切欠き部１４を通って中枠部１２の左側の直線状溝部２２の内部もしくは前側に位置し、前側の係合片２５は、上記回動によって、ケース部１１の前側の切欠き部１４を通り、中枠部１２の前端面に沿って移動したのち、中枠部１２の右側の直線状溝部２２の内部もしくは前側に位置するようになっている。
【００２１】
上記の構成において、上記密閉容器の斜視図である図８と、そのＤ−Ｄ断面である図９と、Ｅ−Ｅ断面である図１０に示すように、蓋体２を閉じた閉蓋状態では、上記蓋体２のスライド片２４が円弧状溝部２１の突条２３に係合し、この係合によって、上記蓋体２が下向きに強く押し込まれているため、パッキン３が下方に押圧されて化粧料収容用凹部１８の上面に圧接し、化粧料収容用凹部１８の上面開口が密閉されている。なお、上記パッキン３は、上記蓋体２の下面の、化粧料収容用凹部１８に対応する部分に貼着されている。
【００２２】
この状態から、化粧料収容用凹部１８を露出させる場合には、まず、図１１の矢印に示すように、上記蓋体２を反時計回り方向に回転させる。これにより、スライド片２４が円弧状溝部２１の起点Ｐ、Ｐ′から終点Ｑ、Ｑ′に向かって移動し、上記蓋体２が回動しながら徐々に上昇するようになる。そして、パッキン３が化粧料収容用凹部１８の上面から離れ、上記スライド片２４と円弧状溝部２１の突条２３との係合が外れて、スライド片２４，係合片２５が直線状溝部２２に位置決めされる。この状態で、図１２において矢印で示すように、上記蓋体２を後方にスライドさせると、上記スライド片２４が円弧状溝部２１の終点Ｑ、Ｑ′から中枠部１２の後縁部Ｒ、Ｒ′に向かって移動し、化粧料収容用凹部１８が露出して開蓋される。一方、閉蓋する場合には、上記手順の逆を行う。
【００２３】
このように、上記実施の形態では、蓋体２を回動させることにより、蓋体２の下面のパッキン３を化粧料収容用凹部１８の上面開口に均等に圧接させることができるため、蓋体をら合して開閉するタイプのボトルと同様に、化粧料収容用凹部１８の気密性に優れる。そして、開閉動作が、１つの蓋体２に対し、これを周方向に所定角度だけ回動させる動作と、スライドさせてケース本体１上面の片縁側に移動させる動作の双方を一連の動きとして行うようになっており、簡単である。しかも、動作に意外性があり、開閉の方法に面白みがある。
【００２４】
なお、上記実施の形態では、化粧料収容用凹部１８は円形に形成されているが、どのような形状に形成されていてもよく、上記化粧料収容用凹部１８の周辺部分に、この化粧料収容用凹部１８を囲うようにして２本一対の円弧状溝部２１が形成されていればよい。その一例として、図１３に、化粧料収容用凹部１８が四角形に形成されている例を示す。また、上記実施の形態では、円弧状溝部２１は、起点Ｐ、Ｐ′から上記仮想円Ｘに沿って略９０°延びているが、その角度は特に限定するものではなく、終点Ｑ、Ｑ′において、直線状溝部２２とつながるようになっていれば、どのような角度に延びていてもよい。その一例として、図１４に、略４５°の円弧状とした例を示す。
【００２５】
また、上記実施の形態において、上記円弧状溝部２１の突条２３がねじ部に形成され、上記スライド片２４の係合用突起２４ａが、上記ねじ部にら合するねじ部に形成されていてもよい。さらに、上記実施の形態において、パッキン３を省略することもできる。この場合には、上記蓋体２の下面が直接化粧料収容用凹部１８に圧接して化粧料収容用凹部１８の気密状態が保持される。
【図面の簡単な説明】
【００２６】
【図１】本発明の密閉容器の一実施の形態を示す分解斜視図である。
【図２】ケース本体の平面図である。
【図３】図２のＡ−Ａ断面図である。
【図４】図２のＢ−Ｂ断面図である。
【図５】中枠部の要部の正面図である。
【図６】蓋体の平面図である。
【図７】図６のＣ−Ｃ断面図である。
【図８】上記密閉容器の閉蓋状態を示す斜視図である。
【図９】図８のＤ−Ｄ断面図である。
【図１０】図８のＥ−Ｅ断面図である。
【図１１】上記密閉容器の作用を示す斜視図である。
【図１２】上記密閉容器の作用を示す斜視図である。
【図１３】上記ケース本体の変形例を示す平面図である。
【図１４】上記ケース本体の他の変形例を示す平面図である。
【図１５】従来例の説明図である。
【図１６】他の従来例を示す断面図である。
【符号の説明】
【００２７】
１  ケース本体
１８  化粧料収容用凹部
２１  円弧状溝部
２２  直線状溝部
Ｐ、Ｐ′  起点
Ｑ、Ｑ′  終点
Ｒ、Ｒ′  片縁部
【図１】
2010094177.tif 000003
【図２】
2010094177.tif 000004
【図３】
2010094177.tif 000005
【図４】
2010094177.tif 000006
【図５】
2010094177.tif 000007
【図６】
2010094177.tif 000008
【図７】
2010094177.tif 000009
【図８】
2010094177.tif 000010
【図９】
2010094177.tif 000011
【図１０】
2010094177.tif 000012
【図１１】
2010094177.tif 000013
【図１２】
2010094177.tif 000014
【図１３】
2010094177.tif 000015
【図１４】
2010094177.tif 000016
【図１５】
2010094177.tif 000017
【図１６】
2010094177.tif 000018